(57)【要約】      （修正有）【課題】２種類の寸法の柱を用いて造られる軸組木造住宅の天井構造に対して、１種類の天井用断熱材を用意するのみで、隣接する野縁同士の間および際野縁とそこに隣接する野縁との間の双方に、適切にかつ容易に断熱材を挿入することのできる天井用断熱材を提供する。【解決手段】柱の横幅が２種類であり、野縁および際野縁の横幅がＤである、異なる２つの態様の天井構造で用いることができる合成樹脂発泡体製の天井用断熱材１０であって、矩形形状をなす中央部分１０ａと、中央部分の側辺側からＶ字状をなす第１および第２の割溝を介して接続した第１の側方部分１０ｂと第２の側方部分１０ｃとを有する。第１の割溝と第２の割溝の上端の開口幅の和は、双方の側方部分の側方端面の下方縁間の距離と上方縁間の距離の差に等しいかより広い距離とする。【選択図】図４
2013076208.tif 000002
【特許請求の範囲】
【請求項１】
柱と柱の中心間の距離Ｓを等間隔Ｘに区分する位置に適数の野縁が取り付けられ、各柱に接する位置には前記野縁と同寸法の際野縁が取り付けられている構造を備えた、軸組木造住宅での天井構造を断熱するために前記際野縁と該際野縁に隣接する野縁の間および隣接する野縁同士の間に挿入するのに用いられ合成樹脂発泡体製の天井用断熱材であって、
前記天井用断熱材は、柱の横幅ＹがＹ１およびＹ２（＞Ｙ１）、野縁および際野縁の横幅Ｄ（＜Ｙ）である異なる２つの態様の前記天井構造で用いることが予定されているものであり、
前記天井用断熱材は、平板状で矩形形状をなす中央部分と、該中央部分の一方および他方の側辺側からほぼＶ字状をなす第１および第２の割溝を介して斜めに傾斜した該中央部分と実質的に同じ厚みのほぼ矩形形状をなす第１および第２の側方部分とを有し、
前記各側方部分の側方端面は、その下方縁がその上方縁よりも外方に位置する傾斜面とされかつ前記双方の側方端面の上方縁間の距離は前記隣接する野縁間の距離よりやや狭く、下方縁間の距離は前記隣接する野縁間の距離よりも広くされており、
前記第１の割溝の前記中央部分側の位置は、天井用断熱材を平板状の姿勢とした状態で前記第１の側方部分の側方端面から前記柱の横幅Ｙ１と野縁の横幅Ｄの和のほぼ半分の距離Ｚ１だけ内側に入った位置とされており、
前記第２の割溝の前記中央部分側の位置は、天井用断熱材を平板状の姿勢とした状態で前記第２の側方部分の側方端面から前記柱の横幅Ｙ２と野縁の横幅Ｄとの和のほぼ半分の距離Ｚ２だけ内側に入った位置とされており、
前記第１の割溝と第２の割溝の上端の開口幅は、少なくとも前記双方の側方部分の側方端面の下方縁間の距離と上方縁間の距離の差に等しいかより広い距離とされていることを特徴とする天井用断熱材。
【請求項２】
請求項１に記載の天井用断熱材を用いた天井断熱構造であって、天井構造は、柱と柱の中心間の距離を等間隔に区分する位置に適数の野縁が取り付けられ、各柱に接する位置には前記野縁と同寸法の際野縁が取り付けられている天井構造であり、その天井構造における前記際野縁と該際野縁に隣接する野縁の間には、前記天井用断熱材から第１の側方部分または第２の側方部分のいずれか一方を前記割溝の部分から除去した後の天井用断熱材が挿入されており、隣接する野縁同士の間には、前記天井用断熱材がそのまま挿入されている構造を少なくとも備えることを特徴とする天井断熱構造。
【発明の詳細な説明】
【技術分野】
【０００１】
本発明は、天井部分を断熱するための天井用断熱材とそれを用いた天井断熱構造に関する。
【背景技術】
【０００２】
軸組木造住宅の天井工事は、柱と梁が組まれたのち、梁に吊木が取り付けられ、その吊木の下端に野縁受けを介して野縁が組まれる。そして、当該天井構造に断熱性を持たせるために、配置した野縁と野縁の間に合成樹脂発泡体である断熱材を挿入する断熱工法も行われる。特許文献１には天井断熱に用いる天井断熱パネルが記載されており、特許文献１に記載の天井断熱パネルでは、プラスターボードの面上に野縁を固定して、その野縁に吊り具を設けるとともに、野縁の間に断熱材を設けるようにしている。この天井断熱パネルでは、前記吊り具が吊木の役を果たしており、吊り具の先端が梁に固定される。
【０００３】
建築用の断熱材として、特許文献２には、長方形である合成樹脂発泡体製の断熱材を、側縁に沿って形成した２本の割溝によって中央部分と２つの側方部分とに区分けするとともに、該側方部分の側面を５°〜２０°の範囲で斜め下方に傾斜させるようにした断熱材が記載されている。この断熱材を隣接する構造材間に挿入し、その後、上から押し付けることで、断熱材は構造材間にしっかりと挿入された状態となる。
【先行技術文献】
【特許文献】
【０００４】
【特許文献１】特開２０００−８０７５１号公報
【特許文献２】特開平１０−１１０４８３号公報
【発明の概要】
【発明が解決しようとする課題】
【０００５】
一般に、軸組木造住宅の木造住宅では、１０５ｍｍ角もしくは１２０ｍｍ角の柱が用いられ、野縁には、通常、縦幅５０ｍｍ、横幅４０ｍｍの角材が用いられる。また、標準的なモジュールでの野縁間隔は４５５ｍｍであり、野縁寸法が決定すれば天井一般部（野縁と野縁間）での断熱材幅は決定できる。しかし、壁と柱の取り合い部分の野縁間距離（際野縁とそれに隣接する野縁間の距離）は、柱寸法によって異なる。したがって、天井断熱を行うに当たっては、野縁一般部用の天用断熱材と、それとは横幅の異なる１種類または２種類の際野縁部用の天井用断熱材を準備する必要がある。
【０００６】
そのために、施工業者あるいは断熱材メーカーは、需要に適切に対応するために、横幅の異なる多種類の天井用断熱材を常時用意しておく必要があり、在庫管理、製品管理など観点から改善が求められている。特許文献１に記載される形態の天井断熱パネルでも事情はほぼ同じであり、やはり横幅の異なる多種類の天井断熱パネルを用意する必要がある。
【０００７】
本発明は、上記のような事情に鑑みてなされたものであり、軸組木造住宅に標準として用いられ２種類の寸法の柱を用いて造られる２つの態様の天井構造のいずれに対しても、１種類の天井用断熱材を用意するのみで、すべての野縁一般部（隣接する野縁同士の間）および際野縁部（際野縁と該際野縁に隣接する野縁との間）に適切にかつ容易に挿入することのできる天井用断熱材を提供することを課題とする。また、その天井用断熱材を用いた天井面の断熱構造を提供することを課題とする。
【課題を解決するための手段】
【０００８】
本発明による天井用断熱材は、柱と柱の中心間の距離Ｓを等間隔Ｘに区分する位置に適数の野縁が取り付けられ、各柱に接する位置には前記野縁と同寸法の際野縁が取り付けられている構造を備えた、軸組木造住宅での天井構造を断熱するために前記際野縁と該際野縁に隣接する野縁の間および隣接する野縁同士の間に挿入するのに用いられる合成樹脂発泡体製の天井用断熱材であって、前記天井用断熱材は、柱の横幅ＹがＹ１およびＹ２（＞Ｙ１）、野縁および際野縁の横幅Ｄ（＜Ｙ）である異なる２つの態様の前記天井構造で用いることが予定されているものであり、前記天井用断熱材は、平板状で矩形形状をなす中央部分と、該中央部分の一方および他方の側辺側からほぼＶ字状をなす第１および第２の割溝を介して斜めに傾斜した該中央部分と実質的に同じ厚みを持ちかつほぼ矩形形状をなす第１および第２の側方部分とを有し、前記各側方部分の側方端面は、その下方縁がその上方縁よりも外方に位置する傾斜面とされかつ前記双方の側方端面の上方縁間の距離は前記隣接する野縁間の距離よりやや狭く、下方縁間の距離は前記隣接する野縁間の距離よりも広くされており、前記第１の割溝の前記中央部分側の位置は、天井用断熱材を平板状の姿勢とした状態で前記第１の側方部分の側方端面から前記柱の横幅Ｙ１と野縁の横幅Ｄの和のほぼ半分の距離Ｚ１だけ内側に入った位置とされており、前記第２の割溝の前記中央部分側の位置は、天井用断熱材を平板状の姿勢とした状態で前記第２の側方部分の側方端面から前記柱の横幅Ｙ２と野縁の横幅Ｄとの和のほぼ半分の距離Ｚ２だけ内側に入った位置とされており、前記第１の割溝と第２の割溝の上端の開口幅は、少なくとも前記双方の側方部分の側方端面の下方縁間の距離と上方縁間の距離の差に等しいかより広い距離とされていることを特徴とする。
【０００９】
後の発明を実施するための形態の欄で図面を参照してより詳しく説明するように、本発明による天井用断熱材は、基本構成として、中央部分１０ａと、その両側にほぼＶ字状をなす割溝Ｓ１、Ｓ２を介して斜めに傾斜したほぼ矩形形状をなす第１および第２の側方部分１０ｂ、１０ｃとを備える。そして、前記各側方部分１０ｂ、１０ｃの側方端面１１、１２は、その下方縁がその上方縁よりも外方に位置する傾斜面とされ、さらに、前記双方の側方端面１１、１２の上方縁間の距離Ｐ１は前記隣接する野縁間の距離Ｔａよりやや狭く、下方縁間の距離Ｐ２は前記隣接する野縁間の距離Ｔａよりも広くされている。なお、本発明において、「上方」とは、天井断熱施工時に天井用断熱材が野縁間等で屋内側から天井側に向けて押し上げながら挿入されるときの挿入方向前方側をいい、「下方」とは挿入方向後方側をいう。
【００１０】
したがって、野縁一般部すなわち隣接する野縁と野縁の間では、割溝Ｓ１、Ｓ２の開放側を下面側としたそのままの姿勢で屋内側から天井側に向けて押し上げることで、上記天井用断熱材を容易に野縁間に挿入することができる。挿入後にさらに押し上げることで、天井用断熱材は、双方の側方部分１０ｂ、１０ｃが前記Ｖ字状をなす割溝Ｓ１、Ｓ２の幅を次第に狭くする方向に回動しながら上方に向けて移動していき、最後には、全体が平板状の姿勢となって野縁と野縁との間に隙間のない状態で嵌め込まれる。それにより、野縁一般部には、合成樹脂発泡体製の天井用断熱材１０による断熱層が形成される。
【００１１】
際野縁と該際野縁に隣接する野縁との間では、本発明による天井用断熱材は次のようにして挿入される。軸組木造家屋における天井構造において、野縁一般部での野縁間の距離Ｔａは前記距離Ｘ−距離Ｄであり、柱に接して配置された際野縁と該際野縁に隣接する野縁の壁間の距離Ｔｂは前記Ｔａ−（距離Ｙ＋距離Ｄ）／２となる。そして、本発明による天井用断熱材においては、前記した位置に第１の割溝Ｓ１と第２の割溝Ｓ２とを形成しているので、横幅Ｙ１の柱を用いた天井構造に対しては、第１の割溝Ｓ１を利用して前記第１の側方部分１０ａを除去した天井用断熱材、すなわち前記中央部分１０ａと第２の側方部分１０ｃとからなる天井用断熱材を用いることで、際野縁とそこに隣接する野縁との間に容易に天井用断熱材を挿入することができる。また、横幅Ｙ２の柱を用いた天井構造に対しては、割溝Ｓ２を利用して前記第２の側方部分を除去した天井用断熱材、すなわち第１の側方部分１０ｂと中央部分１０ａとからなる天井用断熱材を用いることで、際野縁とそこに隣接する野縁との間に容易に天井用断熱材を挿入することができる。
【００１２】
上記のように、本発明による天井用断熱材を用いることにより、軸組木造住宅の天井部に標準として採用されている２種類の寸法（横幅ＹがＹ１とＹ２）の柱のいずれを用いて造られた２つの態様の天井構造に対して、野縁一般部（隣接する野縁同士の間）および際野縁部（際野縁と該際野縁ら隣接する野縁との間）の双方に適切にかつ容易に断熱材を挿入することができるようになる。そのために、施工が容易となるとともに、天井用断熱材の在庫管理や製品管理も容易となる。
【００１３】
また、本発明による天井用断熱材において、第１と第２の割溝Ｓ１、Ｓ２は、基本的に、野縁間あるいは際野縁と野縁間に天井用断熱材を挿入するときに、側方部分が前記下方縁間の距離Ｐ２と上方縁間の距離Ｐ１の差分だけ回動することができるように設けられる。割溝Ｓ１、Ｓ２の上端側の距離Ｗは狭いものでよく、断熱性が破壊される可能性を極力小さくすることができる利点がある。もちろん、前記下方縁間の距離Ｐ２と上方縁間の距離Ｐ１の差分よりも少し（２〜３ｍｍ程度）広くしておくことで、際野縁を含む野縁設置の施工後差にも対応可能となる。
【００１４】
なお、本発明において、前記柱と柱の中心間の間隔Ｓの値、野縁の横幅Ｄの値、柱の横幅Ｙの値に特に制限はないが、現在の軸組工法を参照すれば、前記したように、前記隣接する野縁の中心間距離Ｘは４５５ｍｍ前後であり、Ｄが４０ｍｍ前後、Ｙ１が１０５ｍｍ前後、Ｙ２が１２０ｍｍ前後である。より具体的には、本発明による天井用断熱材において、前記Ｙが１０５ｍｍ前後または１２０ｍｍ前後、Ｄが４０ｍｍ前後ある軸組木造建築物の天井部に装着される場合には、前記Ｚ１、Ｚ２は、８０ｍｍ前後、７３ｍｍ前後の距離とされる。そして、この場合、前記第１の割溝Ｓ１と第２の割溝の上端の開口幅Ｗはほぼ６ｍｍ程度であってよい。
【００１５】
本発明はさらに、上記の天井用断熱材を用いる天井断熱構造であって、天井構造は、柱と柱の中心間の距離を等間隔に区分する位置に適数の野縁が取り付けられ、各柱に接する位置には前記野縁と同寸法の際野縁が取り付けられている天井構造であり、その天井構造における前記際野縁と該際野縁に隣接する野縁の間には、前記天井用断熱材から第１の側方部分または第２の側方部分のいずれか一方を前記割溝の部分から除去した後の天井用断熱材が挿入されており、隣接する野縁同士の間には、前記天井用断熱材がそのまま挿入されている構造を少なくとも備えることを特徴とする天井断熱構造をも開示する。
【発明の効果】
【００１６】
本発明によれば、軸組木造建築物による天井構造において、柱の横幅寸法が異なる態様の天井構造であっても、１種類の天井用断熱材を用意するのみで、隣接する野縁同士の間および際野縁とそこに隣接する野縁との間の双方に、適切にかつ容易に断熱材を挿入することが可能となる。それにより、断熱施工の容易性が得られるとともに、天井用断熱材の在庫管理あるいは製品管理も容易となる。
【図面の簡単な説明】
【００１７】
【図１】軸組木造建築物の天井部とその断熱構造を説明する図。
【図２】本発明による天井用断熱材の一例を説明するための断面図。
【図３】本発明による天井断熱構造の一例を示す断面図。
【図４】図３に示した天井断熱構造で用いる天井用断熱材を説明するための図。
【図５】他の形態の天井用断熱材を用いた場合での図２に相当する図。
【図６】Ｖ字状の割溝の詳細を説明するための図。
【発明を実施するための形態】
【００１８】
以下、本発明を実施の形態に基づき説明する。
図１に示すように、軸組工法における木造建築物の天井部は、一般に、横幅Ｙの角材からなる柱１、１間に架け渡した梁２から吊木３が垂下され、該吊木３の下端に梁２と平行に野縁受け４が取り付けられる。そして、該野縁受け４に対して野縁受け４に直交する方向に一定間隔で横幅Ｄの角材からなる野縁５が取り付けられ、該野縁５を利用して屋内側から天井下地板（不図示）が取り付けられる。天井断熱を行うに当たっては、野縁５、５間に適宜厚さの合成樹脂発泡体製の天井用断熱材１０が屋内側から天井側に向けて押し上げるようにして挿入される。
【００１９】
軸組工法での標準では、図１に示すように、対向する柱１、１の中心間の距離Ｓが等距離Ｘに区分され、野縁受け４における各区分点の位置に幅方向の中心が位置するようにして前記野縁５が取り付けられる。また、柱２に接しても野縁５が取り付けられており、本発明では、この柱に接して取り付けられている野縁を際野縁６と呼ぶこととする。もちろん、際野縁６と一般の野縁５は同じ寸法のものである。
【００２０】
天井部の断熱を行うには、野縁５と野縁５の間、すなわち野縁一般部には、対向する野縁５、５の側面間の距離Ｔａ（＝Ｘ−Ｄ）にほぼ等しい横幅である合成樹脂発泡体製の天井用断熱材１０が挿入される。一方、前記際野縁６とそこに隣接する野縁５の対向する側面間の距離Ｔｂは、野縁間一般部における野縁５、５の側面間の距離Ｔａより狭く、その距離Ｔｂは、Ｔａ−（Ｙ＋Ｄ）／２となる。したがって、前記際野縁６とそこに隣接する野縁５との間には、横幅がほぼＴｂに等しい合成樹脂発泡体製の部分断熱材１０ｓが挿入される。
【００２１】
軸組工法において、一般に、前記距離Ｘは４５５ｍｍであり、野縁５（際野縁６）には横幅Ｄが４０ｍｍのもの、柱２には、横幅Ｙが１０５ｍｍ（Ｙ１）と１２０ｍｍ（Ｙ２）のものが用いられている。下記の表１および図３に示すように、柱１の横幅ＹがＹ１＝１０５ｍｍ場合の天井構造（選択１）では、距離Ｔａは（４５５−４０）ｍｍ＝４１５ｍｍ、距離Ｔｂは（４１５−（１０５＋４０）／２）ｍｍ＝３４２．５ｍｍとなる（図３（ａ）参照）。同様に、柱１の横幅ＹがＹ２＝１２０ｍｍ場合の天井構造（選択２）では、距離Ｔａは（４５５−４０）ｍｍ＝４１５ｍｍ、距離Ｔｂは（４１５−（１２０＋４０）／２）ｍｍ＝３３５ｍｍとなる（図３（ｂ）参照）。なお、表１で、Ｚ（Ｚ１、Ｚ２）は、Ｔａ−Ｔｂの値である。
【００２２】
【表１】
2013076208.tif 000003
【００２３】
本発明は、上記した２つの態様の天井構造における、野縁５、５の間および際野縁６と該際野縁６に隣接する野縁５の間に、容易に挿入することのできる合成樹脂発泡体製の天井用断熱材１０を提供するものである。
【００２４】
図２は、本発明による合成樹脂発泡体製の天井用断熱材１０の一例を短手方向の断面で示している。天井用断熱材１０は、基本的形態として、平板状で矩形形状をなす中央部分１０ａと、該中央部分の長手方向の一方および他方の側辺側からほぼＶ字状をなす第１および第２の割溝Ｓ１、Ｓ２を介して斜めに傾斜した該中央部分と実質的に同じ厚みを持ちかつほぼ矩形形状をなす第１および第２の側方部分１０ｂ、１０ｃとを備える。そして、前記各側方部分１０ｂ、１０ｃの長手方向に沿った側方端面１１、１２は、その下方縁１１ａ、１２ａがその上方縁１１ｂ、１２ｂよりも外方に位置する傾斜面とされており、さらに前記双方の側方端面１１、１２の上方縁１１ｂ、１２ｂ間の距離Ｐ１は前記隣接する野縁間の距離Ｔａよりやや狭く、また、下方縁１１ａ、１２ａ間の距離Ｐ２は前記隣接する野縁間の距離Ｔａよりも広くされている。天井用断熱材１０の厚みは必要とされる断熱性能に応じて適宜設定すればよい。
【００２５】
天井用断熱材１０の素材としての合成樹脂発泡体は、柔軟性を有し圧縮可能であり、反発弾性を有していて野縁間に圧挿した場合に野縁に断熱材の端部が密着する性質を有するものであるのが好ましい。具体的には、ポリオレフィン系樹脂やポリスチレン系樹脂を、押出発泡成形あるいはビーズ発泡成形によって成形したものが好ましい。
【００２６】
図４（ａ）は、天井用断熱材１０の一つの具体例における短手方向の断面を、実際の数値も入れて示している。この例において、中央部分１０ａの上面幅および下面幅はともに２６２．５ｍｍ、第１の側方部分１０ｂの上面幅７０．７ｍｍ、下面幅７０．５ｍｍ、第２の側方部分１０ｃの上面幅７８．２ｍｍ、下面幅７８．０ｍｍであり、すべての厚みは１５０ｍｍである。第１の側方部分１０ｂと中央部分１０ａとの間にはＶ字状の割溝Ｓ１が、また、中央部分１０ａと第２の側方部分１０ｃとの間にはＶ字状の割溝Ｓ２が形成され、割溝Ｓ１および割溝Ｓ２の上端開口幅Ｗ１、Ｗ２はともに６．０ｍｍとされている。具体的には、第１の割溝Ｓ１は、中央部分１０ａの一方の側面と第１の側方部分１０ｂの対向する側面によって形成され、また、第２の割溝Ｓ２は、中央部分１０ａの他方の側面と第２の側方部分１０ｃの対向する側面によって形成されている。
【００２７】
図４（ａ）に示す姿勢にあるときの前記側方端面１１、１２の上方縁１１ｂ、１２ｂ間の距離Ｐ１は、略７０．７＋２６２．５＋略７８．２＝略４１１．４ｍｍであって、前記選択１、２でのＴａ値４１５ｍｍよりも狭い。側方端面１１、１２の下方縁１１ａ、１２ａ間の距離Ｐ２は、略７０．５＋６＋２６２．５＋６＋略７８．０＝４２３．０ｍｍであって、前記選択１、２でのＴａ値４１５ｍｍよりも広い。割溝Ｓ１および割溝Ｓ２の上端開口幅Ｗ１、Ｗ２はともに６．０ｍｍであり、その和は１２．０ｍｍであって、Ｐ２とＰ１の差＝１１．６ｍｍの値よりも広い。したがって、選択１、２のいずれの天井構造であっても、天井用断熱材１０は、図４（ａ）に示されるそのままの姿勢で隣接する野縁５、５の間に容易に入り込むことができ、その後、さらに押し上げて下面が野縁５の下面と同じ位置となり、ほぼ平板状の姿勢とされたときに、図４（ｂ）に示すように、側方端面１１、１２のほぼ全面を左右の野縁５、５に密接させ、かつＶ字状の割溝Ｓの上端幅をほぼ２．０ｍｍにまで狭めた状態で野縁間に挿入される。それにより、野縁５、５間の断熱性はしっかりと確保される。
【００２８】
すなわち、図示される天井用断熱材１０において、前記第１の割溝Ｓ１の前記中央部分１０ａ側の位置は、天井用断熱材１０を平板状の姿勢とした状態で第１の側方部分１０ｂの側方端面１１から柱１の横幅Ｙ１＝１０５と野縁５の横幅Ｄ＝４０の和１４５ｍｍのほぼ半分の距離Ｚ１＝７２．５ｍｍだけ内側に入った位置とされており、前記第２の割溝Ｓ２の中央部分１０ａ側の位置は、天井用断熱材を平板状の姿勢とした状態で第２の側方部分１０ｃの側方端面１２から柱１の横幅Ｙ２＝１２０ｍｍと野縁５の横幅Ｄ＝４０との和１６０ｍｍの半分の距離Ｚ２＝８０．０内側に入った位置とされている。
【００２９】
次に、際野縁６と該際野縁６に隣接する野縁５間に、天井用断熱材１０を挿入する場合を説明する。最初に、柱２として横幅Ｙ１＝１０５ｍｍを用いる場合（選択１）は、図４（ａ）に示した断熱材１０から第１の側方部分１０ｂを第１の割溝Ｓ１を利用して分離除去した後の第１部分断熱材１０ｓ１を用いる。図４（ｃ）は第１部分断熱材１０ｓ１を示しており、その上方側の横幅は略３４０．７ｍｍであって、Ｔｂ値３４２．５ｍｍより狭い。また、上方側の横幅は略３４６．４ｍｍであって、Ｔｂ値３４２．５ｍｍより広い。したがって、第１部分断熱材１０ｓ１は、選択１において、そのままの姿勢で際野縁６と該際野縁６に隣接する野縁５の間に容易に入り込むことができる。その後、さらに押し上げて下面が野縁５の下面と同じ位置となり、ほぼ平板状の姿勢とされたときに、図４（ｃ）に示すように、第２の側方部分１０ｃの側方端面１２を際野縁６の側面に、また中央部分１０ａの左方側面を野縁５の側面にほぼ密接させた姿勢で、際野縁６と野縁５の間に挿入される。そのときに、図４（ｃ）に示すように、Ｖ字状の第２の割溝Ｓ２の上端幅をほぼ２ｍｍにまで狭められた状態となる。
【００３０】
次に、柱２として横幅Ｙ２＝１２０ｍｍを用いる場合を説明する（選択２）。この場合は、図４（ａ）に示した断熱材１０から第２の側方部分１０ｃを第２の割溝Ｓ２を利用して分離除去した後の第２部分断熱材１０ｓ２を用いる。図４（ｄ）は第２部分断熱材１０ｓ２を示しており、その上方側の横幅は略３３３．２ｍｍであって、Ｔｂ値３３５．０ｍｍより狭い。また、下方側の横幅は３３９．０ｍｍであって、Ｔｂ値３３５．０ｍｍより広い。したがって、第２部分断熱材１０ｓ２は、選択２においてそのままの姿勢で際野縁６と該際野縁６に隣接する野縁５の間に容易に入り込むことができる。その後、さらに押し上げて下面が野縁５の下面と同じ位置となり、ほぼ平板状の姿勢とされたときに、図４（ｄ）に示すように、第１の側方部分１０ｂの側方端面１１を際野縁６の側面に、また中央部分１０ａの右方側面を野縁５の側面にほぼ密接させた姿勢で、際野縁６と野縁５の間に挿入される。そのときに、図４（ｄ）に示すように、Ｖ字状の第１の割溝Ｓ１の上端幅をほぼ２ｍｍにまで狭められた状態となる。
【００３１】
図３に示した態様では、野縁５および際野縁６の下面は露出した状態にある。野縁５および際野縁６の下面は天井下地板（不図示）の留め付けに用いられるので、そのまま露出していても差し支えない。しかし、より高い断熱性能を望む場合に、野縁５や際野縁６の下面にも断熱材を配置することが求められる。このような場合には、図５に示すように、野縁５や際野縁６の下面側を覆う形状の張り出し部１３を備えた天井用断熱材１０を用いることで、課題を解決することができる。
【００３２】
図６は、前記第２のＶ字状の割溝Ｓ２の溝底部形状のいくつかの例を示している。なお、図示の都合から、第２の割溝Ｓ２について説明するが、第１割溝Ｓ１についても同様である。いずれの場合も、第２の割溝Ｓ２の中央部分１０ａ側の側面Ｓａ、すなわち、図で中央部分１０ａの左側側面Ｓａは垂直面とされ、他方の側面Ｓｂ、すなわち第２の側方部分１０ｃの図で左側側面Ｓｂは傾斜面とされている。また、第２の割溝Ｓ２の底部Ｓｃは、分離作業が容易に行えるように、天井用断熱材１０の上方面近傍まで達している。底部Ｓｃは、図６（ａ）に示す例では右上がりの傾斜面であり、図６（ｂ）に示す例では水平面であり、図６（ｃ）に示す例ではほぼ円弧状となっている。発泡樹脂の種類や全体の形状と寸法に応じて、分離面ができるだけ平坦な面となるように底部Ｓｃの形状を選定することが望ましい。
【符号の説明】
【００３３】
１…柱、
２…梁、
３…吊木、
４…野縁受け
５…野縁、
６…際野縁（柱に接している野縁）、
１０…合成樹脂発泡体製の天井用断熱材、
１０ａ…天井用断熱材の中央部分、
１０ｂ…天井用断熱材の第１の側方部分、
１０ｃ…天井用断熱材の第２の側方部分、
１０ｓ（１０ｓ１、１０ｓ２）…部分断熱材、
１１…第１の側方部分側の側方端面、
１２…第２の側方部分側の側方端面、
Ｐ１…天井用断熱材における２つの側方部分の上方縁間の距離、
Ｐ２…天井用断熱材における２つの側方部分の下方縁間の距離、
Ｓ１…Ｖ字状をなす第１の割溝、
Ｓ２…Ｖ字状をなす第２の割溝、
Ｗ…割溝の開口幅、
Ｙ（Ｙ１、Ｙ２）…柱の横幅、
Ｄ…野縁（際野縁）の横幅、
Ｔａ…野縁間の距離、
Ｔｂ…際野縁と野縁との間の距離、
Ｚ１…柱の横幅Ｙ１と野縁の横幅Ｄ１の和のほぼ半分の距離、
Ｚ２…柱の横幅Ｙ２と野縁の横幅Ｄ２の和のほぼ半分の距離。
【図１】
2013076208.tif 000004
【図２】
2013076208.tif 000005
【図３】
2013076208.tif 000006
【図４】
2013076208.tif 000007
【図５】
2013076208.tif 000008
【図６】
2013076208.tif 000009